(57)【要約】      （修正有）【課題】エアコン室外機の排気、排熱を利用した洗濯物干し具を提供する。【解決手段】エアコンの室外機に着脱可能に掛止められる物干し具本体２と、該物干し具本体に被せるカバー体７とからなっており、物干し具本体が、プレート状の上壁面部３を有し、該上壁面部の下面に洗濯物吊下げ部４を設けており、カバー体が、室外機から突出した部分を覆う上面シート部８と、上壁面部の下の左右の空間を塞ぐ一対の側面シート部９と、上面シート部の先端で垂下し前記室外機の排気口２１と対峙する先端面シート部１０とで構成する。【選択図】図１
0003150393.tif 000002
【実用新案登録請求の範囲】
【請求項１】
エアコンの室外機（２０）に着脱可能に掛止められる物干し具本体（２）と、該物干し具本体に被せるカバー体（７）とからなっており、
物干し具本体（２）が、室外機の天板（２２）に沿って室外機の排気口（２１）の送風方向に延びるプレート状の上壁面部（３）を有し、該上壁面部の下面に洗濯物吊下げ部（４）を有しており、
カバー体（７）が、前記上壁面部（３）の室外機から突出した部分（３’）を覆う上面シート部（８）と、該上面シート部（８）の左右の縁部から垂下し上壁面部（３）の下の左右の空間を塞ぐ左右一対の側面シート部（９）と、上面シート部（８）の先端で垂下し前記室外機の排気口（２１）と対峙する先端面シート部（１０）とからなることを特徴とするエアコン室外機の排気利用物干し具。
【請求項２】
物干し具本体（２）の少なくとも上壁面部（３）の室外機から突出した部分（３’）がメッシュ状のプレートからなっていることを特徴とする請求項１に記載のエアコン室外機の排気利用物干し具。
【請求項３】
カバー体（７）の少なくとも先端面シート部（１０）が通気孔を有してなることを特徴とする請求項１に記載のエアコン室外機の排気利用物干し具。
【請求項４】
物干し具本体（２）が断面横倒Ｌ状に折曲して、一方が室外機の背壁面（２３）に沿って掛け止められる背面側掛止片（５）となり、他方が室外機の天板（２２）に沿って掛け止められて外方へ突出する上壁面部（３）となっており、
該上壁面部（３）に前記背面側掛止片（５）と対峙して室外機の排気口（２１）が設けられた表壁面（２４）に掛け止められる表面側掛止片（６）が設けられており、
該表面側掛止片（６）は、室外機（２０）の厚みに対応して前記背面側掛止片（５）との間隔を調整可能に前記上壁面部（３）に取り付けられていることを特徴とする請求項１に記載のエアコン室外機の排気利用物干し具。
【請求項５】
表面側掛止片（６）の前方で、室外機の排気口（２１）に対峙する位置に除塵または脱臭用のフィルター部（１１）を備えてなることを特徴とする請求項４に記載のエアコン室外機の排気利用物干し具。
【考案の詳細な説明】
【技術分野】
【０００１】
本考案は、エアコン室外機の排気、排熱を利用した洗濯物用の物干し具に関するものである。
【背景技術】
【０００２】
洗濯物は、物干し竿や紐を張り渡し、これに直接に、またはハンガーを介して吊り下げて天日で乾燥させている。
一方、エアコン等が家庭に普及し、屋外には空調機・除湿機の室外機が設置され、熱交換されて温度が高い空気がファンによって大気に排出されている。
この室外機が放出する高温の風を再利用して洗濯物を乾燥する構造として、例えば特開２０００−３００８９５号では、方形に枠組みしたフレームをエアコン室外機を囲むように配置し、該フレームの内部に数本の物干しバーと、上部に天板および側面の２面に側板を固着したエアコン室外機の排気利用の洗濯物乾燥ケージが開示されている。
【先行技術文献】
【特許文献】
【０００３】
【特許文献１】特開２０００−３００８９５号公報
【考案の概要】
【考案が解決しようとする課題】
【０００４】
上記構成では、室外機をフレームで囲み、フレームに側板を貼り付けて簡易なケージを組み立てる必要があり、組立や解体に手間がかかるので、エアコン使用時で洗濯物を干すという条件が満たされた際に手軽に組立て、乾燥後は迅速に解体してスペースを開放することが困難であるという問題点がある。
この考案は、上記事情に鑑みて創案されたものであって、その解決しようとする問題点は、室外機に随時に着脱して、洗濯物を乾燥することができる着脱式のエアコン室外機を利用した物干し具を提供することにある。
【課題を解決するための手段】
【０００５】
上記課題を解決するために、請求項１の考案では、
エアコンの室外機（２０）に着脱可能に掛止められる物干し具本体（２）と、該物干し具本体に被せるカバー体（７）とからなっており、
物干し具本体（２）が、室外機の天板（２２）に沿って室外機の排気口（２１）の送風方向に延びるプレート状の上壁面部（３）を有し、該上壁面部の下面に洗濯物吊下げ部（４）を有しており、
カバー体（７）が、前記上壁面部（３）の室外機から突出した部分（３’）を覆う上面シート部（８）と、該上面シート部（８）の左右の縁部から垂下し上壁面部（３）の下の左右の空間を塞ぐ左右一対の側面シート部（９）と、上面シート部（８）の先端で垂下し前記室外機の排気口（２１）と対峙する先端面シート部（１０）とからなることを特徴とする。
【０００６】
また、請求項２の考案では、
前記物干し具本体（２）の少なくとも上壁面部（３）の室外機から突出した部分（３’）がメッシュ状のプレートからなっていることを特徴とする。
請求項３の考案では、
前記カバー体（７）の少なくとも先端面シート部（１０）が通気孔を有してなることを特徴とする。
また、請求項４の考案では、
前記物干し具本体（２）が断面横倒Ｌ状に折曲して、一方が室外機の背壁面（２３）に沿って掛け止められる背面側掛止片（５）となり、他方が室外機の天板（２２）に沿って掛け止められて外方へ突出する上壁面部（３）となっており、
該上壁面部（３）に前記背面側掛止片（５）と対峙して室外機の排気口（２１）が設けられた表壁面（２４）に掛け止められる表面側掛止片（６）が設けられており、
該表面側掛止片（６）は、室外機（２０）の厚みに対応して前記背面側掛止片（５）との間隔を調整可能に前記上壁面部（３）に取り付けられていることを特徴とする。
請求項５の考案では、
前記表面側掛止片（６）の前方で、室外機の排気口（２１）に対峙する位置に除塵または脱臭用のフィルター部（１１）を備えてなることを特徴とする。
【考案の効果】
【０００７】
本考案のエアコン室外機を利用した物干し具では、室外機に物干し具本体を掛止め物干し具本体をカバー体で覆うことで、手軽に且つ迅速に室外機の排熱を利用した乾燥区域を形成することができる。
物干し具本体とカバー体は、それぞれ必要に応じて取り外すことができ、天候に合わせて調整することができる。
例えば、日当たりが良く温度も高い場合にはカバー体を外して干すことで室外機の排気、排熱と日照を利用することができ、また温度が低い時や天候が崩れそうな場合にはカバー体をかけて外気の影響を避け、室外機の排気、排熱を有効利用することができる。
【図面の簡単な説明】
【０００８】
【図１】物干し具の実施例１の物干し具本体を室外機に取り付ける状態を示す斜視図である。
【図２】物干し具本体を室外機に取り付けた状態の斜視図である。
【図３】カバー体の斜視図である。
【図４】物干し具本体にカバー体を被せた状態の斜視図である。
【図５】物干し具本体が、フィルター部を有する異なる実施例の斜視図である。
【図６】フィルター部と排出口のファンとの関係を示す側断面図である。
【図７】表面側掛止片が位置調整可能な実施例を示す断面図である。
【図８】同側面図である。
【考案を実施するための形態】
【０００９】
以下に、この考案のエアコン室外機を利用した物干し具の好適な実施例について図面を参照しながら説明する。
【実施例１】
【００１０】
物干し具１は、エアコンの室外機２０に着脱可能に掛止められる物干し具本体２と、該物干し具本体に被せるカバー体７とからなっている（図４参照）。
前記物干し具本体２は、断面横倒Ｌ状に折曲した金属製または合成樹脂製のプレートを用いている。
【００１１】
物干し具本体２は、上記プレートの一方が室外機２０の背壁面２３に沿って掛け止められる背面側掛止片５となり、他方が室外機の天板２２に沿って掛け止められて外方へ突出する上壁面部３となっている。
背面側掛止片５は枠体からなるものでもよいし、後述の上壁面部３と同じ構造であってもよい。
【００１２】
［上壁面部］
該上壁面部３は、図示例の場合、室外機２０の天板２２に沿って室外機２０の排気口２１の送風方向に延びる扁平面からなっている。
上壁面部３は本実施例の場合、全面がメッシュ状のプレートからなっているが、少なくとも室外機２０から突出した部分３’のみがメッシュ状となっているものでもよい（図５参照）。
これにより、上壁面部３は通気性を有し、日照を遮ることなく内部に取り込むことが可能となる。
【００１３】
［表面側掛止片］
前記上壁面部３には、前記背面側掛止片５と離間して略平行に対峙する表面側掛止片６が設けられている。
該表面側掛止片６は図示例の場合、略コ字状のフレームからなっており、左右のアーム６ａの上端が上壁面部３に固着され、室外機２０の表壁面２４に掛け止められる。
【００１４】
表面側掛止片６は、例えばアーム６ａの先端にネジを切って、大径のワッシャを介して上壁面部３のメッシュの孔からネジを上部へ突出させ、上からメッシュの孔より大径のナット６ｂで緊締することで上壁面部３の所望の位置に固定される。
この表面側掛止片６は、室外機２０の排気口２１の外周より大きい輪郭であって、室外機２０に掛止めた際に排気口２１を塞がない形状であることが好ましい。
【００１５】
本実施例で、表面側掛止片６は、前記上壁面部３の所定位置に固定されるが、室外機２０の厚みに対応して前記背面側掛止片５との間隔を調整可能に前記上壁面部３に取り付けられるものでもよい。
例えば、図７に示すように、表面側掛止片６のアーム６ａの上端に、前記上壁面部３の左右の側方縁部３ａに着脱可能な係止部６ｂをそれぞれ固着しておく。
【００１６】
左右のアーム６ａ、６ａは接近方向に付勢しておくことで、左右のアーム６ａ、６ａを拡開し、各係止部６ｂをそれぞれ側方縁部３ａに掛止めると付勢力で表面側掛止片６を着脱可能に掛止めることができ、表面側掛止片６を上壁面部３の側方縁部３ａに沿って任意の位置に調整して取り付けることができる。
これによって、室外機２０の厚みが異なる場合であっても、表面側掛止片６の取付位置を容易に変更することができる（図８参照）。
【００１７】
これにより、背面側掛止片５および表面側掛止片６と、これらの間に挟まれた上壁面部３の一部とによって断面チャンネル状の嵌合溝Ｇが形成され、室外機２０の上から厚み方向に嵌合することができる。
【００１８】
［洗濯物吊下げ部］
上壁面部３の先端寄りの下面には、洗濯物や洗濯挟み、ハンガーＨ（図６参照）等を掛止めるための洗濯物吊下げ部４が形成されている。
図示例の場合、洗濯物吊下げ部４は、上壁面部３の下方離間位置で横幅方向に亘って掛け渡されたコ字状のフレームからなるが、紐やリングやフックその他の公知の受部であればよい。
あるいは受部として、上壁面部３のメッシュに洗濯挟みを取付可能とするもの、あるいは上記メッシュに代えて略等間隔で平行に配置される複数のバーとしておき、該バーにハンガーＨを掛止め可能とするものなどでもよい。
【００１９】
［フィルター部］
前記表面側掛止片６には、室外機２０の排気口２１に対峙する位置に除塵または脱臭用のフィルター部１１を取り付けることが好ましい。
フィルター部１１は、例えば、図５に示すように、表面側掛止片６のフレームに固定または着脱可能に掛止められたボックス型からなって室外機２０からの排気を貫通させる大径の窓孔１１ａを有しており、プレート状またはシート状のフィルターＦを交換可能に収納している。
【００２０】
従って、図６に示すように、室外機２０の排気口２１（ファン）から放出される排気流は、まずフィルター部１１を通過するので、排気中に含まれる微粉や異臭はフィルター部１１に吸着され、無臭の熱風を洗濯物へ向かって放出することができる。
なお、上記フィルター部１１は表面側掛止片６と別体として上壁面部３に取り付けるものでもよい。
【００２１】
［カバー体］
前記物干し具本体２には、カバー体７を被せることができる。
カバー体７は、図３に示すように、前記上壁面部３の室外機から突出した部分３’を覆う上面シート部８と、該上面シート部８の左右の縁部から垂下し上壁面部３の下の左右の空間を塞ぐ左右一対の側面シート部９と、上面シート部８の先端で垂下し前記室外機の排気口２１と対峙する先端面シート部１０とからなっている。
【００２２】
上記カバー体７のシートの素材は、太陽光を通すようにその全部または一部が透明で、且つ突然の雨などによっても洗濯物が濡れないように保護するように耐水性を有する素材が好ましい。
図示例のカバー体７は、上面シート部８と一対の側面シート部９とがビニールなどの合成樹脂シートからなっている。
【００２３】
また、先端面シート部１０は、多数の小さな通気孔を有する格子状またはメッシュ状のシートからなっている。
これによりカバー体７によって、室外機２０から放出される排気流がカバー体７の内部に密封されることなく通気孔から放出されて、室外機の熱交換を阻害しないようになっている。
【００２４】
上記構成からなるので、例えば、晴天時には、図２に示すように、室外機２０に物干し具本体２を掛止め、カバー体７を被せずに、洗濯物を洗濯物保持部４に吊り下げる。
これにより洗濯物は、室外機の排気流と日照とにより効率的に乾燥させることができる。
また、天候が崩れそうな場合、あるいは温度の低いとき等には、図４に示すように、前記物干し具本体２にカバー体７を被せて使用する。
【００２５】
カバー体７によって物干し具本体２に吊り下げられた洗濯物は、外気の風や温度の影響を弱めて、室外機の排気流の排熱により乾燥することができる。
また、日照時には、カバー体７の透明なシート部分から太陽の熱を受け入れることができる。
この考案は、上記実施例に限定されるものではなく、この考案の要旨を変更しない範囲で種々設計変更しうること勿論である。
【符号の説明】
【００２６】
１    エアコン室外機の排気利用物干し具
２    物干し具本体
３    上壁面部
４    洗濯物吊下げ部
５    背面側掛止片
６    表面側掛止片
７    カバー体
８    上面シート部
９    側面シート部
１０    先端面シート部
１１    フィルター部
２０    室外機
２１    排気口
２２    天板
２３    背壁面
２４    表壁面
【図１】
0003150393.tif 000003
【図２】
0003150393.tif 000004
【図３】
0003150393.tif 000005
【図４】
0003150393.tif 000006
【図５】
0003150393.tif 000007
【図６】
0003150393.tif 000008
【図７】
0003150393.tif 000009
【図８】
0003150393.tif 000010